(57)【要約】【課題】冷却水の温度が過度に上昇することを軽減する技術を提供する。【解決手段】冷却回路９において、車両に搭載されるディーゼルエンジン２を冷却するための冷却水８が循環する。ラジエータ３は、冷却水８を冷却する。制御部３０は、冷却水８をラジエータ３に流入させるための弁の開弁温度を制御する。ブレーキ検知部は、車両を制動させるための補助ブレーキ２５の作動状態を検知する。負荷検知部は、ディーゼルエンジン２の負荷状態を検知する。制御部３０は、ディーゼルエンジン２が無負荷状態であっても、補助ブレーキ２５の作動時は補助ブレーキ２５の非作動時よりも開弁温度を低くする。【選択図】図１
2017190755.tif 000002
【特許請求の範囲】
【請求項１】
車両に搭載されるエンジンを冷却するための冷却水が循環する冷却回路と、
前記冷却水を冷却するラジエータと、
前記冷却水を前記ラジエータに流入させるための弁の開弁温度を制御する制御部と、
前記車両を制動させるための補助ブレーキの作動状態を検知するブレーキ検知部と、
前記エンジンの負荷状態を検知する負荷検知部と、
を備え、
前記制御部は、前記エンジンが無負荷状態であっても、前記補助ブレーキの作動時は前記補助ブレーキの非作動時よりも前記開弁温度を低くする、
ことを特徴とする冷却装置。
【請求項２】
前記補助ブレーキは、第１補助ブレーキと、前記第１補助ブレーキとは異なる第２補助ブレーキとの少なくとも二つの補助ブレーキを備え、
前記制御部は、作動している前記補助ブレーキの数が多い場合は、少ない場合よりも、前記開弁温度を低くする、
ことを特徴とする請求項１に記載の冷却装置。
【請求項３】
前記車両の外気温を計測する気温計測部をさらに備え、
前記制御部は、外気温が高い場合は、外気温が低い場合よりも前記開弁温度を低くする、
ことを特徴とする請求項１又は２に記載の冷却装置。
【請求項４】
前記補助ブレーキは、前記冷却水で冷却される流体式リターダを含み、
前記制御部は、前記流体式リターダの作動時は、前記流体式リターダの非作動時よりも前記開弁温度を低くする、
ことを特徴とする請求項１から３のいずれか一項に記載の冷却装置。
【発明の詳細な説明】
【技術分野】
【０００１】
本発明は、冷却装置に関し、特にディーゼルエンジンを駆動力とする車両に搭載される冷却装置に関する。
【背景技術】
【０００２】
車両に搭載されているエンジンの冷却システムは、環状に接続されたラジエータ、ウォータポンプ、エンジン本体及びウォータポンプの吸入口へ分岐するサーモスタットと、同じく環状に接続されたウォータポンプ、エンジン本体及び水冷式のＥＧＲ（Exhaust Gas Recirculation）クーラとを、冷却水がそれぞれ循環する冷却回路を備えている（例えば、特許文献１参照）。
【０００３】
これらのサーモスタットは、冷却水の温度に反応して通路を自動的に開閉する一種の弁であり、エンジン始動時にエンジンの暖機を急速に行うためや、エンジンの負荷に対応して冷却水の温度を適温に保つために設けられるものである。サーモスタットが開弁すると冷却水はラジエータに流入して冷却される。
【先行技術文献】
【特許文献】
【０００４】
【特許文献１】特開２００２−２２７６４６号公報
【発明の概要】
【発明が解決しようとする課題】
【０００５】
エンジンの負荷に対応してサーモスタットが動作する場合、エンジン負荷に起因する熱によって冷却水の温度が過度に上昇する前にサーモスタットを開弁することによって、冷却水をラジエータで冷却することができる。しかしながら、この場合ではエンジンの負荷に起因せずに発生した熱によって冷却水の温度が上昇したとしても、サーモスタットが早めに開弁することがない。このため、条件によっては冷却水の温度が過度に上昇しかねないという問題が生じていた。
【０００６】
本発明はこれらの点に鑑みてなされたものであり、冷却水の温度が過度に上昇することを軽減する技術を提供することを目的とする。
【課題を解決するための手段】
【０００７】
本発明のある態様は、冷却装置である。この装置は、車両に搭載されるエンジンを冷却するための冷却水が循環する冷却回路と、前記冷却水を冷却するラジエータと、前記冷却水を前記ラジエータに流入させるための弁の開弁温度を制御する制御部と、前記車両を制動させるための補助ブレーキの作動状態を検知するブレーキ検知部と、前記エンジンの負荷状態を検知する負荷検知部と、を備える。ここで前記制御部は、前記エンジンが無負荷状態であっても、前記補助ブレーキの作動時は前記補助ブレーキの非作動時よりも前記開弁温度を低くする。
【０００８】
前記補助ブレーキは、第１補助ブレーキと、前記第１補助ブレーキとは異なる第２補助ブレーキとの少なくとも二つの補助ブレーキを備えてもよく、前記制御部は、作動している前記補助ブレーキの数が多い場合は、少ない場合よりも、前記開弁温度を低くしてもよい。
【０００９】
前記車両の外気温を計測する気温計測部をさらに備えてもよく、前記制御部は、外気温が高い場合は、外気温が低い場合よりも前記開弁温度を低くしてもよい。
【００１０】
前記補助ブレーキは、前記冷却水で冷却される流体式リターダを含んでもよく、前記制御部は、前記流体式リターダの作動時は、前記流体式リターダの非作動時よりも前記開弁温度を低くしてもよい。
【発明の効果】
【００１１】
本発明によれば、冷却水の温度が過度に上昇することを軽減できるという効果を奏する。
【図面の簡単な説明】
【００１２】
【図１】実施の形態に係る冷却システムを模式的に示す図である。
【図２】補助ブレーキが作動していないときの冷却システムの動作を説明するための図である。
【図３】補助ブレーキが作動しているときの冷却システムの動作を説明するための図である。
【図４】外気温との開弁温度との関係を示す図である。
【図５】実施の形態に係る制御部が実行する第２開弁温度設定処理の流れを説明するためのフローチャートである。
【発明を実施するための形態】
【００１３】
＜実施の形態の概要＞
本発明の実施の形態の概要を述べる。
実施の形態に係る冷却システムは、車両に搭載されるディーゼルエンジンを冷却するために好適に用いられる。実施の形態に係る冷却システムは、この他にもＥＧＲクーラや流体式リターダ等の冷却にも用いられる。このため冷却装置は、ディーゼルエンジン等の発熱部材を冷却するための冷却水が循環する冷却水路と、冷却水を冷却するためのラジエータとを備えている。冷却装置は、エンジンを冷却する冷却水の温度が設定された開弁温度以上となることを契機として、ラジエータで冷却水を冷却する。
【００１４】
ディーゼルエンジンは負荷がかかっている状態、すなわちディーゼルエンジン内で噴射された燃料が燃焼している状態（以下、「負荷状態」と記載する。）では、ディーゼルエンジンは燃料の燃焼熱によって発熱する。冷却装置の主な冷却対象はディーゼルエンジンであるため、冷却装置は、ディーゼルエンジンが負荷状態のときは、ディーゼルエンジン内に噴射される燃料が所定量以下の状態（以下、「無負荷状態」と記載する。）のときよりも、開弁温度を低く設定する。この結果、冷却水をラジエータで冷却するタイミングが早まる。
なお、ディーゼルエンジンが無負荷状態か否かを定める「所定量」とは、ディーゼルエンジンがアイドリングのときに噴射される燃料の量である。「無負荷状態」は、ディーゼルエンジンへの燃料噴射がカットされている状態、すなわち燃料噴射量が０の状態も含まれる。
【００１５】
例えば重量物を積載したトラック等は車両重量が重くなる。このような車両が勾配を下っているとき等には、エンジンブレーキが用いられてディーゼルエンジンが無負荷状態となる場合がある。このような場合においてはさらなる制動力を得るために、補助ブレーキが併用される場合がある。補助ブレーキの使用により発生した熱も冷却水の温度上昇の要因となるので、勾配が終わったときには冷却水が高温となることも起こりうる。そのような状態で車両が上り勾配に差し掛かるとディーゼルエンジンが負荷状態となるが、冷却水が高温となっていると冷却性能が低下しかねない。
【００１６】
そこで実施の形態に係る冷却装置は、ディーゼルエンジンが無負荷状態の場合であっても、補助ブレーキが作動しているときは、ラジエータで冷却水を冷却するための開弁温度を低く設定する。これにより補助ブレーキの使用による発熱で温められる冷却水がラジエータで冷却されるタイミングが早まり、冷却水の温度上昇を抑制できる。冷却水が低温で保たれるため、下り勾配が終わって上り勾配となって負荷状態となっても、ディーゼルエンジンを十分に冷却することができる。
以下、実施の形態に係る冷却システムについてより詳細に説明する。
【００１７】
＜冷却システム＞
図１は実施の形態に係る冷却システム１を模式的に示す図である。冷却システム１は、車両に搭載されたディーゼルエンジン２を主な冷却対象とするものである。冷却システム１は、ラジエータ３、ウォータポンプ４、エンジン本体５、及びサーモスタット６の間を冷却水８が循環する冷却回路９を備える。この冷却回路９において、冷却水８はさらに、ウォータポンプ４、エンジン本体５、及び水冷式のＥＧＲクーラ７の間も循環するように構成されている。
【００１８】
サーモスタット６は、エンジン本体５から流出した冷却水８ｂの温度が、後述する制御部３０によって設定された開弁温度よりも低いときには閉弁し、冷却水８ｂはラジエータ３を迂回する。サーモスタット６はまた、冷却水８ｂの温度が開弁温度よりも高いときには開弁し、冷却水８ｂはラジエータ３に流入する。ラジエータ３に流入した冷却水８ｂは、車両の走行により生じる車速風と、ラジエータ３の後方に対向して配置された冷却ファン１０による冷却風とによって冷却される。
【００１９】
冷却ファン１０は、エンジン本体５により回転駆動されるバイメタル式の冷却ファンである。冷却ファン１０は、ラジエータ３を通過する空気の温度に応じてファンの回転数が制御されるように構成されている。
【００２０】
ターボチャージャ１３のコンプレッサー１４は、吸入した空気Ａを圧縮する。圧縮された空気Ａは吸入空気１２となって吸気通路１１を流通する。吸入空気１２は、吸気通路１１に設けられたインタークーラ１５で冷却された後にインテークマニホールド１６を経てエンジン本体５に供給される。
【００２１】
エンジン本体５の気筒内に噴射された燃料は吸入空気１２と混合され、燃焼する。燃料は燃焼によって熱エネルギーを発生させた後に、燃焼ガス１７となってエキゾーストマニホールド１８から排気通路１９へ排気される。このときエキゾーストガスの一部はＥＧＲガス２１となり、吸気通路１１に延びるＥＧＲ通路２０に分流する。ＥＧＲガス２１は、ＥＧＲクーラ７により冷却された後に、ＥＧＲバルブ２２により流量が調整されて吸入空気１２と合流する。
【００２２】
一方で、ＥＧＲ通路２０に分流しなかった燃焼ガス１７は、ターボチャージャ１３のタービン２３を回転駆動させた後に、排ガスＧとなって放出される。
【００２３】
冷却回路９においてＥＧＲクーラ７の下流側には、ラジエータ３の入り口へ分岐可能な流路切替手段２４が設置されている。この流路切替手段２４は、ＥＧＲクーラ７から流出した冷却水８ａの温度が、予め設定された温度以下であるときは、ウォータポンプ４の吸入口への流路を開通する。流路切替手段２４はまた、冷却水８ａの温度が予め定められた温度を超えたときには、流路をラジエータ３の入り口へ切り替える。
【００２４】
排気通路１９には補助ブレーキ２５の一種である既知の排気ブレーキ２５ａが設けられている。排気ブレーキ２５ａは排気通路１９上に設けられたバルブであり、排気経路を閉塞することでディーゼルエンジン２のフリクションを大きくし、車両を減速させる。図示はしないが、実施の形態に係る冷却システム１を搭載する車両には補助ブレーキ２５として圧縮解放ブレーキも搭載されている。
【００２５】
また、エンジン本体５には、補助ブレーキ２５の一種である既知の流体式リターダ２５ｂも設置されている。図１に示す流体式リターダ２５ｂは冷却回路９と統合されており、図示しないクランクシャフトと連結されたロータと、エンジン本体５に固定されたステータとの間を冷却水８が流れている。クランクシャフトの回転と連動させてロータを回転させることにより、クランクシャフトの回転運動は流体式リターダ２５ｂ内の冷却水８の運動エネルギーに変換され、車両が減速する。
【００２６】
コンビネーションスイッチ３１は、運転手が補助ブレーキ２５の作動を制御するために操作するスイッチであり、排気ブレーキ２５ａ、圧縮解放ブレーキ、及び流体式リターダ２５ｂの使用を制御するために用いられる。
【００２７】
図示はしないが、コンビネーションスイッチ３１は０から３までの４つの段階が設定可能である。運転手がコンビネーションスイッチ３１を０に設定すると、排気ブレーキ２５ａ、圧縮解放ブレーキ、及び流体式リターダ２５ｂは作動しない。運転手がコンビネーションスイッチ３１を１に設定すると排気ブレーキ２５ａが作動し、コンビネーションスイッチ３１を２に設定すると排気ブレーキ２５ａと圧縮解放ブレーキとが作動する。運転手がコンビネーションスイッチ３１を３に設定すると、排気ブレーキ２５ａ、圧縮解放ブレーキ、及び流体式リターダ２５ｂが作動する。この意味で、コンビネーションスイッチ３１は車両を制動させるための補助ブレーキ２５の作動状態を検知するブレーキ検知部として機能する。
【００２８】
制御部３０は、冷却水８をラジエータ３に流入させるための弁であるサーモスタット６の開弁温度を制御する。より具体的には、制御部３０は、ディーゼルエンジン２が負荷状態か否か、及び補助ブレーキ２５が作動されているか否かに基づいて、サーモスタット６の開弁温度を第１開弁温度と、第１開弁温度よりも低い温度である第２開弁温度とのいずれかの温度に設定する。限定はしないが、一例として、第１開弁温度は９０度から９５度程度であり、第２開弁温度は８５度程度かそれ以下の温度である。なお第２開弁温度の詳細については後述する。
【００２９】
一般に、サーモスタット６は、内部に配置されたサーモワックスが膨張する温度であるベース開弁温度が定められており、このベース開弁温度が第１開弁温度に相当する。サーモワックスは温度が高い冷却水８によって温められると膨張し、その温度が第１開弁温度に至るとサーモスタット６内に設けられた弁を開弁するように構成されている。逆に言うと、サーモワックスが第１開弁温度に至るまでは、サーモスタット６は開弁しない。
【００３０】
そこで制御部３０は、冷却水８の温度が第１開弁温度よりも低い第２開弁温度のときにサーモスタット６を開弁させる場合は、サーモワックスを温めて強制的に膨張させる。このように、実施の形態に係る冷却システム１で用いられるサーモスタット６は、弁の開閉を任意に制御可能な電子制御サーモスタットが採用されている。なお、冷却水８の温度は、水温センサ３２によって測定される。
【００３１】
アクセル開度センサ３３は、運転手によるアクセルペダル３４の踏み込み量を検知する。ここでアクセルペダル３４の踏み込み量に応じてエンジン本体５の気筒内に噴射される燃料の量が決定される。すなわち、アクセルペダル３４の踏み込み量はディーゼルエンジン２の負荷状態を決定する。この意味で、アクセル開度センサ３３は、ディーゼルエンジン２の負荷状態を検知する負荷検知部として機能する。
また、気温計側部３５は、車両１００の外気温を計測する。
【００３２】
なお、図１において、冷却回路９、ラジエータ３、サーモスタット６、制御部３０等は、ディーゼルエンジン２を含む発熱部材を冷却するための冷却装置の一部を構成する。
【００３３】
＜補助ブレーキ非作動時の動作＞
図２は、補助ブレーキ２５が作動していないときの冷却システム１の動作を説明するための図である。図２において、車両１００は実施の形態に係る冷却システム１を搭載しているトラックである。図２に示すように、車両１００は平坦な道を走行している。図２は、車両１００のディーゼルエンジン２が地点Ｐ０から地点Ｐ１に至るまでの間は負荷状態であり、地点Ｐ１から地点Ｐ２に至るまでの間は無負荷状態であることを示している。また、図２は、車両１００の補助ブレーキ２５は地点Ｐ０から地点Ｐ２に至るまで一貫して作動していないことを示している。
【００３４】
実施の形態に係る冷却システム１の主要な冷却対象はディーゼルエンジン２であるため、制御部３０は、ディーゼルエンジン２が負荷状態のときは開弁温度の温度制御を実行する。これにより、冷却水８の温度がベース開弁温度である第１開弁温度よりも低い第２開弁温度に至った時点で、サーモスタット６は強制的に開弁される。結果として冷却水８はその温度が第１開弁温度に至るよりも早い段階においてラジエータ３で冷却され、ディーゼルエンジン２及びＥＧＲクーラ７の冷却効率が維持される。
【００３５】
＜補助ブレーキ作動時の動作＞
次に補助ブレーキ２５の作動時における冷却システム１の動作を説明する。
図３（ａ）−（ｂ）は、補助ブレーキ２５が作動しているときの冷却システム１の動作を説明するための図である。より具体的には、図３（ａ）は実施の形態に係る冷却システム１において、補助ブレーキ２５が作動しているときの動作を説明するための図であり、図３（ｂ）は、比較例を説明するための図である。
【００３６】
図３（ａ）−（ｂ）において、地点Ｐ３から地点Ｐ４に至るまでは上り坂であり、地点Ｐ４から地点Ｐ５に至るまでは下り坂である。また地点Ｐ５から地点Ｐ６に至るまでは再び上り坂となる。このため、図３（ａ）−（ｂ）に示すように、車両１００が地点Ｐ３からＰ４に至るまでの間、及び地点Ｐ５から地点Ｐ６に至るまでの間は、ディーゼルエンジン２は負荷状態となっている。一方、車両１００が地点Ｐ４から地点Ｐ５に至るまでの間においてディーゼルエンジン２は無負荷状態となっており、さらに補助ブレーキ２５が作動している。
【００３７】
図３（ｂ）に示す比較例においては、車両１００が地点Ｐ４からＰ５に至るまでの間においてディーゼルエンジン２は無負荷状態であるため、制御部３０は開弁温度を制御していない。このため図３（ｂ）に示すように、冷却水８の水温は補助ブレーキ２５が車両１００を制動することによって生じる熱によって上昇する。冷却水８の温度がベース開弁温度である第１開弁温度となるとサーモスタット６が開弁するため、冷却水８の温度上昇は停止し、第１開弁温度となる。
【００３８】
この状態で車両１００が地点Ｐ５に到達すると、ディーゼルエンジン２に負荷がかかり、ディーゼルエンジン２は燃料の燃焼熱によって発熱する。また、ＥＧＲクーラ７に流入するエキゾーストガスも高温となる。この結果、図３（ｂ）に示す例では、車両１００が地点Ｐ５を通過した後に、破線の円Ｃで示すように冷却水８の温度が過度に上昇している。冷却水８の温度の過度な上昇はディーゼルエンジン２やＥＧＲクーラ７の耐久信頼性を損ねる要因となるため、抑制することが望まれる。
【００３９】
そこで実施の形態に係る冷却システム１においては、図３（ａ）に示すように、ディーゼルエンジン２が無負荷状態であっても、補助ブレーキ２５の作動時には、制御部３０は開弁温度を第２開弁温度に設定する。このため、ディーゼルエンジン２が無負荷状態であっても、補助ブレーキ２５の作動時には、補助ブレーキ２５の非作動時よりも開弁温度が低くなる。図３（ａ）に示すように、車両１００が地点Ｐ４を過ぎると補助ブレーキ２５の作動によって生じる熱で冷却水８が温められるが、冷却水８の温度が第２開弁温度となるとサーモスタット６は開弁するため、冷却水８の温度上昇が停止する。
【００４０】
この状態で車両１００が地点Ｐ５に到達すると、ディーゼルエンジン２に負荷がかかり、ディーゼルエンジン２は燃料の燃焼熱によって発熱する。また、ＥＧＲクーラ７に流入するエキゾーストガスも高温となる。しかしながら冷却水８の温度は第１開弁温度よりも低く抑えられているため十分な冷却力が保たれている。このため、図３（ｂ）に示す比較例とは異なり、冷却水８の温度は過度に上昇することが抑制される。結果としてディーゼルエンジン２やＥＧＲクーラ７の耐久信頼性を向上することができる。
【００４１】
＜第２開弁温度の設定＞
続いて、制御部３０が設定する第２開弁温度について説明する。
図４（ａ）−（ｄ）は、外気温との第２開弁温度との関係を示す図である。図４（ａ）において、破線は第１開弁温度を示し、実線は第２開弁温度を示している。図４（ａ）に示す例では、制御部３０は外気温の高低にかかわらず、第２開弁温度を固定している。この場合であっても、第２開弁温度は第１開弁温度よりも低く抑えられているため、ディーゼルエンジン２が無負荷状態かつ補助ブレーキ２５の作動時における冷却水８の温度上昇が抑えられる。結果として、ディーゼルエンジン２やＥＧＲクーラ７の耐久信頼性の向上に一定の効果がある。
【００４２】
ここでラジエータ３による冷却水８の冷却効率は車両１００の外気温によって変化する。より具体的には、車両１００の外気温が高い場合は、低い場合よりもラジエータ３による冷却水８の冷却効率が悪化する。
そこで制御部３０は、車両１００の外気温に応じて第２開弁温度を変化させてもよい。より具体的には、図４（ｂ）に示すように、制御部３０は車両１００の外気温が高い場合は、外気温が低い場合よりも第２開弁温度を低く設定する。これにより、ラジエータ３による冷却水８の冷却効率が低いときは冷却水８の温度が低いうちから冷却水８がラジエータ３に流入する。結果として冷却水８の温度が過度に上昇することを抑制できる。
【００４３】
実施の形態に係る冷却システム１を搭載する車両１００は、複数の補助ブレーキ２５を備える。上述したように、車両１００の運転者はコンビネーションスイッチ３１を操作することにより、作動させる補助ブレーキ２５の数を変更することができる。ここで補助ブレーキ２５として排気ブレーキ２５ａが単独で用いられている場合と、排気ブレーキ２５ａ、圧縮解放ブレーキ、及び流体式リターダ２５ｂが全て用いられている場合とでは、補助ブレーキ２５の作動に起因する発熱量は異なる。
【００４４】
そこで制御部３０は、作動している補助ブレーキ２５の数に応じて第２開弁温度を変化させてもよい。より具体的には、制御部３０は作動している補助ブレーキ２５の数が多い場合は、少ない場合よりも第２開弁温度を低くする。図４（ｃ）において、実線は排気ブレーキ２５ａのみが作動中の第２開弁温度を示し、一点鎖線は排気ブレーキ２５ａと圧縮解放ブレーキとが作動中の第２開弁温度を示している。さらに、図４（ｃ）において２点鎖線は排気ブレーキ２５ａ、圧縮解放ブレーキ、及び流体式リターダ２５ｂが作動中の第２開弁温度を示している。
【００４５】
特に冷却水８の抵抗を利用して車両１００を減速させる流体式リターダ２５ｂの動作中は、車両１００の運動エネルギーが直接冷却水８の温度上昇に変換される。そこで制御部３０は、流体式リターダ２５ｂの作動時は、流体式リターダ２５ｂの非作動時よりも開弁温度を低くする。
【００４６】
車両１００の重量が大きい場合、制動のためにより多くの補助ブレーキ２５が使用されると考えられる。車両の重量が大きい場合は登坂時のディーゼルエンジン２の負荷も大きくなる。つまり、車両１００で使用されている補助ブレーキ２５の数が多い場合、下り坂の走行中に冷却水８の温度が上がりやすく、さらに上り坂の走行でも冷却水８の温度が上がりやすい。したがって制御部３０は、使用されている補助ブレーキ２５の数が多いときは、少ないときよりも、開弁温度を低くすることが好ましい。
【００４７】
このように作動している補助ブレーキ２５の数に応じて第２開弁温度を変化させることにより、補助ブレーキ２５の作動に起因する発熱量が大きいときには冷却水８の温度が低いうちから冷却水８がラジエータ３に流入する。結果として冷却水８の温度が過度に上昇することを抑制できる。
【００４８】
なお制御部３０は、車両１００の外気温と作動している補助ブレーキ２５の数との両方を考慮して、第２開弁温度を設定してもよい。図４（ｄ）は、外気温と作動中の補助ブレーキ２５の数とに応じた第２開弁温度を示す図である。制御部３０は、図４（ｄ）に示すように、車両１００の外気温が高いほど、また作動している補助ブレーキ２５の数が多いほど、第２開弁温度を低く設定する。これにより、ディーゼルエンジン２が無負荷状態かつ補助ブレーキ２５の作動時において冷却水８の温度が過度に上昇することが抑制できる。
【００４９】
＜処理フロー＞
図５は、実施の形態に係る制御部３０が実行する第２開弁温度設定処理の流れを説明するためのフローチャートである。本フローチャートにおける処理は、例えばディーゼルエンジン２が始動したときに開始する。
【００５０】
アクセル開度センサ３３は、アクセルペダル３４の踏み込み量を検知することにより、ディーゼルエンジン２の負荷状態を検知する（Ｓ２）。ディーゼルエンジン２の負荷がある場合（Ｓ４のＹｅｓ）、制御部３０はサーモスタット６の開弁温度を、ベース開弁温度である第１開弁温度よりも低い第２開弁温度に設定する（Ｓ６）。
【００５１】
ディーゼルエンジン２の負荷がない場合（Ｓ４のＮｏ）、コンビネーションスイッチ３１は、運転手による設定の有無に基づいて補助ブレーキ２５の作動状態を検知する（Ｓ８）。補助ブレーキ２５が作動中でない場合（Ｓ１０のＮｏ）、制御部３０は、サーモスタット６の開弁温度をベース開弁温度である第１開弁温度に設定する（Ｓ６）。第１開弁温度は、第２開弁温度よりも高い温度である。
【００５２】
ディーゼルエンジン２の負荷がない場合（Ｓ４のＮＯ）であっても、補助ブレーキ２５が作動中の場合（Ｓ１０のＹｅｓ）は、制御部３０はサーモスタット６の開弁温度をベース開弁温度である第１開弁温度に設定する（Ｓ６）。制御部３０がサーモスタット６の開弁温度を設定すると、本フローチャートにおける処理は終了する。制御部３０は、上記のフローを所定の間隔で繰り返すことにより、サーモスタット６の開弁温度を制御する。
【００５３】
以上説明したように、実施の形態に係る冷却システム１によれば、ディーゼルエンジン２等を冷却するための冷却水８の温度が過度に上昇することを軽減できる。特に、ディーゼルエンジン２が無負荷状態かつ補助ブレーキ２５の作動時における冷却水８の温度上昇を抑えることができる。
【００５４】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【００５５】
上記では、ラジエータ３へ冷却水８を流入させるか否かの開弁制御にサーモワックスの熱膨張を利用するサーモスタット６を用いる場合について説明したが、この他にもバタフライバルブ式やロータリーバルブ式の電動バルブを用いることもできる。
上記では、冷却システム１の主な冷却対象がディーゼルエンジン２である場合について説明したが、例えばガソリンエンジン等の他の種類のエンジンであってもよい。
【符号の説明】
【００５６】
１・・・冷却システム
２・・・ディーゼルエンジン
３・・・ラジエータ
４・・・ウォータポンプ
５・・・エンジン本体
６・・・サーモスタット
７・・・ＥＧＲクーラ
９・・・冷却回路
１０・・・冷却ファン
１１・・・吸気通路
１３・・・ターボチャージャ
１４・・・コンプレッサー
１５・・・インタークーラ
１６・・・インテークマニホールド
１８・・・エキゾーストマニホールド
１９・・・排気通路
２０・・・ＥＧＲ通路
２２・・・ＥＧＲバルブ
２３・・・タービン
２４・・・流路切替手段
２５・・・補助ブレーキ
３０・・・制御部
３１・・・コンビネーションスイッチ
３２・・・水温センサ
３３・・・アクセル開度センサ
３４・・・アクセルペダル
３５・・・気温計側部
１００・・・車両
【図１】
2017190755.tif 000003
【図２】
2017190755.tif 000004
【図３】
2017190755.tif 000005
【図４】
2017190755.tif 000006
【図５】
2017190755.tif 000007